(57)【要約】【課題】動画像データに時間的な不連続を生じさせることなく複数の記録媒体の切替えを意図的に選択できる画像データ書込み方法を提供する。【解決手段】第１記録媒体に動画像データの前半を画像ファイルＤＳＣＦ１００１Ａ．ＡＶＩ  として記録し始めて残容量が１ＭＢ未満になったとき第２記録媒体への切替えを促すメッセージを液晶パネルに表示し、ブザーを鳴らす。第１記録媒体の残容量が０ＭＢになったら書込み先を切り替え、動画像データの後半を画像ファイルＤＳＣＦ１００１Ｂ．ＡＶＩ  として第２記録媒体に記録し始め、タイマをスタートする。書込み指示ボタンを押すと、書込みが継続される。書込み拒否ボタンを押すと、第２記録媒体への書込みは中止され、画像ファイルＤＳＣＦ１００１Ｂ．ＡＶＩ  は消去される。第２記録媒体を交換して書込み指示ボタンを押すと、新たな第２記録媒体に動画像データの後半が書き込まれる。指示しないまま３０秒を経過すると、第２記録媒体への書込みが継続される。【選択図】        図６
2004328074.tif 000002
【特許請求の範囲】
【請求項１】
画像データを第１記録媒体に書き込んでから第２記録媒体に書き込む画像データ書込み方法において、
第１記録媒体の書込み終了間際に第２記録媒体への書込みの可否を問い合わせ、第１記録媒体の書込み終了時に指示がなかった時は、第２記録媒体への書込みを開始し、この書込み中に第２記録媒体への書込み指示があれば、そのまま書込みを継続し、第２記録媒体への書込み拒否があれば、第２記録媒体への書込みを停止するとともに、第２記録媒体に書き込まれた画像データを消去することを特徴とする画像データ書込み方法。
【請求項２】
前記第２記録媒体への書込みを開始してから一定時間が経過しても第２記録媒体への書込み指示または書込み拒否のいずれもがない場合、第２記録媒体への書込みを続行することを特徴とする請求項１記載の画像データ書込み方法。
【発明の詳細な説明】
【０００１】
【発明の属する技術分野】
本発明は、画像データ書込み方法に関し、更に詳しくは時間的な不連続を生じさせることなく複数の記録媒体の切替えを意図的に選択できる画像データ書込み方法に関するものである。
【０００２】
【従来の技術】
複数種類の記録媒体を有するデジタルカメラにおいて、動画撮影時に動画の画像データを記録する第１の記録媒体の残容量が不十分な場合に、第２の記録媒体に切り替えて動画の画像データを継続して記録する画像データ書込み方法が知られている（例えば特許文献１参照）。
【０００３】
【特許文献１】
特開２００１−１３６４７５号公報
【０００４】
【発明が解決しようとする課題】
上記特許文献１に記載されたような画像データ書込み方法では、使用者が意図していない記録媒体に画像データが記録されることがある。このため、複数の記録媒体からすべての画像データを読み出してサムネイル表示する必要があるなど、撮影後のデータ整理や加工を行う際に手間がかかるという欠点がある。この欠点を解消するためには、手動で記録媒体の切替えを行うことが考えられるが、特に画像データが動画像データの場合、時間的な不連続を生じるという問題がある。
【０００５】
本発明は、上記問題点を考慮してなされたものであり、動画像データに時間的な不連続を生じさせることなく複数の記録媒体の切替えを意図的に選択できる画像データ書込み方法を提供することを目的とする。
【０００６】
【課題を解決するための手段】
上記目的を達成するために、本発明の画像データ書込み方法は、画像データを第１記録媒体に書き込んでから第２記録媒体に書き込む画像データ書込み方法において、第１記録媒体の書込み終了間際に第２記録媒体への書込みの可否を問い合わせ、第１記録媒体の書込み終了時に指示がなかった時は、第２記録媒体への書込みを開始し、この書込み中に第２記録媒体への書込み指示があれば、そのまま書込みを継続し、第２記録媒体への書込み拒否があれば、第２記録媒体への書込みを停止するとともに、第２記録媒体に書き込まれた画像データを消去するものである。また、前記第２記録媒体への書込みを開始してから一定時間が経過しても第２記録媒体への書込み指示または書込み拒否のいずれもがない場合、第２記録媒体への書込みを続行するものである。
【０００７】
【発明の実施の形態】
本発明を実施したデジタルカメラの外観を示す図１及び図２において、デジタルカメラ１０のカメラ本体１１の前面の右上部には、対物側ファインダ窓１２が設けられており、中央部には、開閉自在にスライド操作される半月状のレンズバリア１３が組み付けられている。このレンズバリア１３が開放位置にスライド操作された時に、撮影レンズ１４、ストロボ発光部１５等が露呈する。また、カメラ本体１１の上面には、シャッタボタン１６が設けられている。
【０００８】
カメラ本体１１の背面には、接眼側ファインダ窓１７，液晶パネル（ＬＣＤ）１８，各種操作を行うための操作ボタン２０，カーソル操作ボタン２１が設けられている。また、液晶パネル１８は、静止画モード時，動画モード時にそれぞれ被写体確認用の画像であるスルー画を表示する電子ビューファインダとして使用される。また、再生モードでは、記録画像の再生表示を行う。また、セットアップモードにおいては、各種設定画面等が表示される。
【０００９】
操作ボタン２０は、電源ボタン２２，モード選択ボタン２３，決定ボタン２４，書込み指示ボタン２５，書込み拒否ボタン２６の５つのボタンで構成されている。電源ボタン２２は、電源スイッチのオン／オフ切替を行う時に、ユーザに押圧操作される。
【００１０】
モード選択ボタン２３は、押圧操作する毎に、静止画撮影を行う静止画モード／動画撮影を行う動画モード／記録画像を再生表示する再生モード／各種設定を行うセットアップモード等に順次に切り替わる。なお、モード選択ボタン２３は、デフォルトでは静止画モードにセットされている。
【００１１】
決定ボタン２４は、セットアップモード等で選んだ選択肢を確定する際にユーザによって押圧操作される。また、書込み指示ボタン２５は、後述する第２記録媒体への書込み指示を行う際に押圧操作される。また、書込み拒否ボタン２６は、第２記録媒体への書込み拒否を行う際に押圧操作される。
【００１２】
カーソル操作ボタン２１は、円形状のボタンであり、この円周を等分割する上下左右の４箇所が押圧操作部となっており、それぞれを操作することによりカーソルを上下左右に移動させることができる。
【００１３】
前述の操作ボタン２０，及びカーソル操作ボタン２１を操作することにより、各種設定・操作を行うことができる。例えば、モード選択ボタン２３を押圧操作してセットアップモードにしたときに、液晶パネル１８の設定画面内に表示されたメニューのうち該当する項目にカーソルを移動させ、決定ボタン２４を押圧操作することにより、該当する項目が選択されて各種操作を行うことができる。
【００１４】
カメラ本体１１の側面には、２つのメディアスロット２７，２８が設けられている。第１のメディアスロット２７には、第１記録媒体であるメモリカード２９が挿脱され、また第２のメディアスロット２８には、第２記録媒体である第１記録媒体と同型のメモリカード３０が挿脱される。このメモリカード２９，３０としては、例えば記録容量１２８ＭＢのエックスディーピクチャーカード（登録商標，以下ｘＤピクチャーカードという）が使用される。なお、メモリカード２９，３０の容量は異なっていてもよい。
【００１５】
デジタルカメラ１０の電気構成を示す図３において、デジタルカメラ１０は、撮影レンズ１４，絞り部３１、シャッタ３２、撮像素子としてのＣＣＤ３３、ドライバ回路３４、及びＡ／Ｄコンバータ３５，システムコントローラ３７，静止画処理部３８，動画処理部３９，第１及び第２のバッファメモリ４１，４２，静止画圧縮／伸張処理部４３，動画圧縮／伸張処理部４４，表示制御部４６，メディアスロット２７，２８等から構成されている。
【００１６】
ＣＣＤ３３は、数百万画素程度の撮像素子である。ドライバ回路３４は、システムコントローラ３７からの制御により、露光，ＣＣＤ３３からの撮像信号の読出し処理，素子シャッタ制御，及びＣＣＤ３３に対する電力供給のオン／オフ制御などの処理を行なう。
【００１７】
ＣＣＤ３３は、通常では電源供給がオフされており、シャッタボタン１６によるシャッタ・レリーズのオン操作に応じて、ドライバ回路３４により電源供給がオンされる。シャッタ３２は、システムコントローラ３７の制御に応じて開閉し、ＣＣＤ３３からの撮像信号の読出し時（静止画撮影時）には閉じられる。
【００１８】
Ａ／Ｄコンバータ３５は、ＣＣＤ３３から読出された撮像信号をデジタル画像データに変換する。また、撮影レンズ１４は、図示しないＡ／Ｆ機構によりフォーカス駆動されるように構成されている。
【００１９】
第１バッファメモリ４１は、静止画処理部３８により画像処理された静止画の画像データ（以下静止画像データという）または動画処理部３９により画像処理された動画の画像データ（以下動画像データという）を一時的に格納する。第１バッファメモリ４１に格納された画像データ（以下、静止画像データと動画像データとを区別しない場合に使う）は、表示制御部４６により液晶パネル１８に表示される。静止画処理部３８及び動画処理部３９は、画像処理用ＣＰＵ及びその制御プログラムを格納したメモリから構成されている。
【００２０】
静止画圧縮／伸張処理部４３は、第１バッファメモリ４１に格納された静止画像データを、例えばＪＰＥＧ方式により画像圧縮処理して第２バッファメモリ４２に格納する。また、静止画圧縮／伸張処理部４３は、第２バッファメモリ４２に格納された静止画像データを画像伸張処理して、第１バッファメモリ４１に格納する。
【００２１】
また、動画圧縮／伸張処理部４４は、第１バッファメモリ４１に格納された動画像データを、例えばモーションＪＰＥＧ方式により画像圧縮処理して第２バッファメモリ４２に格納する。また、動画圧縮／伸張処理部４４は、第２バッファメモリ４２に格納された動画像データを画像伸張処理して、第１バッファメモリ４１に格納する。第２バッファメモリ４２は、第１メディアスロット２７、第２メディアスロット２８に接続されている。
【００２２】
システムコントローラ３７は、制御用ＣＰＵ及びその制御プログラムを格納したメモリから構成されており、デジタルカメラ１０の全ての動作を制御する。また、システムコントローラ３７は、メディアスロット２７，２８を介してメモリカード２９，３０の各残容量を監視するメモリ残容量検出部５１，記録先（記録媒体）切替部（以下記録切替部という）５２及び内蔵タイマ５３を有する。メモリ残容量検出部５１は、メモリカード２９，３０が新たなものに交換されたか否かを判定する機能も有する。
【００２３】
記録切替部５２は、メモリ残容量検出部５１からの残容量検知結果に基づいて、メモリカード２９の残容量が許容量，例えば１ＭＢより少なくなった時には、メモリカード３０への切替え指示（書込み指示ボタン２５の押圧操作）を促すメッセージを液晶パネル１８に出力するとともに、カメラ本体１１に設けられたブザー４８を駆動して警告音を出力させる。
【００２４】
また、記録切替部５２は、書込み指示ボタン２５の押圧操作があった場合と、書込み指示ボタン２５及び書込み拒否ボタン２６のいずれの押圧操作もなく一定時間が経過した場合には、記録先をメモリカード３０に切り替える制御を実行する。なお、メモリカード２９，３０への書込み順序は、デフォルトで第１メディアスロット２７（メモリカード２９）→第２メディアスロット２８（メモリカード３０）の順になっているが、ユーザの設定により変更可能である。
【００２５】
メモリカード２９は、図４に示すように、メディアスロット２７とのインターフェース（Ｉ／Ｆ）５５，コントローラ５６，メモリ部５７から構成されている。メモリ部５７は、静止画像データまたは動画像データを記録するユーザ使用領域３３ａと、ユーザ非使用領域３３ｂとからなる。このユーザ非使用領域３３ｂには、メモリカード２９固有のＩＤ番号がメモリカード２９の工場出荷前に記録される。
【００２６】
図５（Ａ）に示すように、メモリ部５７に画像データが画像ファイルとして記録される毎に画像ファイルのファイル名がシステムコントローラ３７によって付与される。本第１実施形態では、メモリ部５７内に完結して１つの画像ファイルとして書き込まれる画像データの画像ファイルについては、撮影した順番に連続した通し番号のファイル名、「ＤＳＣＦ０００１．  ＪＰＧ」，「ＤＳＣＦ０００２．  ＡＶＩ」，・・・・が付与される。なお、各ファイル名の拡張子は、静止画像データは「．  ＪＰＧ」（ＪＰＥＧ）であり、動画像データは「．  ＡＶＩ」（モーションＪＰＥＧ）である。
【００２７】
動画撮影時には、上述したように、時間的に連続する動画像データがメモリカード２９のメモリ部５７とメモリカード３０のメモリ部５８（Ｂ）とに二分割されて記録され得るが、分割された前側の動画像データは、例えばファイル名「ＤＳＣＦ１００１Ａ．  ＡＶＩ」の画像ファイルとしてメモリ部５７に書き込まれ、後側の動画像データは、例えばファイル名「ＤＳＣＦ１００１Ｂ．  ＡＶＩ」の画像ファイルとしてメモリ部５８に書き込まれる。
【００２８】
前記ファイル名「ＤＳＣＦ１００１Ａ．  ＡＶＩ」，「ＤＳＣＦ１００１Ｂ．  ＡＶＩ」の「ＤＳＣＦ１００１」は、それぞれに共通する主要部であり、メモリ部５７，５８を通しての通し番号である。これにより、画像ファイルＤＳＣＦ１００１Ａ．  ＡＶＩと画像ファイルＤＳＣＦ１００１Ｂ．  ＡＶＩとが関連していることを示している。また、主要部に続く従属部のアルファベット「Ａ」，「Ｂ」が２つの画像ファイルが時間的に連続するものであり、かつ「Ａ」は続き（後側）の画像データが欠落していることを示し、「Ｂ」はその前側の画像データが欠落していることを示している。
【００２９】
記録切替部５２は消去処理部５４を有する。この消去処理部５４は、書込み拒否ボタン２６が押された際に、その時点からメモリカード３０への書込みを停止し、その直後にメモリカード３０に既に書き込まれた動画像データを消去する機能を備えている。例えば、本実施形態では、画像ファイルＤＳＣＦ１００１Ｂ．  ＡＶＩが消去される。
【００３０】
このように構成されたデジタルカメラの作用について説明する。まず、静止画撮影は、シャッタボタン１６の押下操作に応じてシャッタ３２が閉じることにより実行される。静止画処理部３８により処理された静止画像データは、第１バッファメモリ４１，画像圧縮／伸張部４３及び第２バッファメモリ４２を介して、メモリカード２９に記録される。静止画再生時には、メモリカード２９から読出された画像データは、第２バッファメモリ４２，画像圧縮／伸張部４３、及び第１バッファメモリ４１を介して表示制御部４６に送られ、静止画が液晶パネル１８上に表示される。
【００３１】
動画撮影は、モード選択ボタン２３を押圧操作して静止画モードから動画モードに切り替えてから、シャッタボタン１６を押すことにより実行される。動画処理部３９は、Ａ／Ｄコンバータ３５から得られた動画像データを処理し、第１バッファメモリ４１に格納する。動画の撮影時間は、例えば最長２分間であり、撮影途中でもう一度シャッタボタン１６を押すと、動画撮影が中止される。動画撮影が終了すると、画像圧縮／伸張部４４は、動画像データを圧縮し、第２バッファメモリ４２を介してメモリカード２９に送出する。
【００３２】
残容量検出部５１は、常にメモリカード２９，３０の残容量を監視しているとともに、システムコントローラ３７は、圧縮された動画像データのデータサイズから、この動画像データがメモリカード２９の残容量に格納され得るか否かを判断する。本実施形態では、メモリカード２９の残容量は、１ＭＢより多いが、動画像データの全部を書き込むには足りないものとする。なお、メモリカード２９の残容量が１ＭＢより少ない場合には、撮影を開始する以前から警告メッセージが液晶パネル１８に表示される。
【００３３】
図６のフローチャートに示すように、動画像データをメモリカード２９に書き込み始める。この時、システムコントローラ３７は、動画像データの前側部を書き込むための画像ファイルＤＳＣＦ１００１Ａ．  ＡＶＩをメモリカード２９のメモリ部５７に作成する。メモリカード２９の残容量が１ＭＢ未満になった時、記録切替部５２は、画像データの記録先をメモリカード２９からメモリカード３０へ切り替えるようユーザに促すメッセージを液晶パネル１８に表示すると同時に、ブザー４８を駆動して警告音を出力する。
【００３４】
ユーザが書込み指示ボタン２５も書込み拒否ボタン２６をも押圧操作しないままメモリカード２９の残容量が０ＭＢになったら、記録切替部５２が画像データの書込み先をメモリカード２９からメモリカード３０に切り替える。そして、システムコントローラ３７は、メモリカード３０のメモリ部５８に新しい画像ファイルＤＳＣＦ１００１Ｂ．  ＡＶＩを作成し、これに動画像データの後側部を書き込み始める。また、これと同時にタイマ５３をリセットして（ｔ＝０秒）時間の計測を開始する。
【００３５】
ユーザが書込み指示ボタン２５を押圧操作すると、動画像データの後側部はそのまま継続してメモリカード３０に書き込まれる。また、ユーザがメモリカード３０への書込みを行いたくない場合には、書込み拒否ボタン２６を押圧操作する。これにより、メモリカード３０への動画像データの書込みは中止される。そして、この直後に、メモリカード３０に既に書き込まれていた画像ファイルＤＳＣＦ１００１Ｂ．  ＡＶＩが消去処理部５４によって消去され、メモリカード３０にはじめから何も書き込まれなかったと同じ状態にされる。
【００３６】
この後、ユーザは第２メディアスロット２８からメモリカード３０を引き抜き、代わりにデータ書込みを行いたい別のメモリカードを第２メディアスロット２８に挿入する。そして、ユーザが書込み指示ボタン２５を押圧操作すると、動画像データの後側部がメモリカードに書き込まれる。これにより、ユーザが意図的に選択した記録媒体に画像データを書き込むことができる。また、データ書込み自体を中止する場合には、もう一度書込み拒否ボタン２６を押圧操作する。この場合、メモリカード２９に画像ファイルＤＳＣＦ１００１Ａ．  ＡＶＩが残ったままになるが、ユーザが不用と判断すれば、後で消去すればよい。
【００３７】
また、動画像データのメモリカード３０への書込みが開始されてから、ユーザが書込み指示ボタン２５も書込み拒否ボタン２６も押圧操作しないまま、例えば３０秒経過した場合（ｔ＝３０秒）には、動画像データのメモリカード３０への書込みは、そのまま継続される。これにより、ユーザのうっかりミス等で書込み指示ボタン２５を押さなかった場合でも、動画像データの記録は確実に行われる。もし、不用の動画像データであった場合には、後で消去操作を行えばよい。
【００３８】
また、図６には記載してないが、メモリカード３０の残容量が、例えば１ＭＢより少なくなった場合や、１ＭＢより多いが書き込むべき動画像データのデータサイズがメモリカード３０の残容量より大きい場合には、記録切替部５２は、メモリカード３０を別のものと交換するように促すメッセージを液晶パネル１８に出力する。なお、第１メディアスロット２８側のメモリカード２９を交換して第１メディアスロット２７側の新たなメモリカードに画像データを書き込むようにしてもよい。
【００３９】
なお、静止画像データの書込みでは、メモリカード２９の残容量が１ＭＢ以上あっても、書き込むべき静止画像データのデータサイズがメモリカード２９の残容量より大きければ、メモリカード２９に書き込むことなく（静止画像データを分割することなく）、画像データの書込み先をメモリカード２９からメモリカード３０に切り替える。
【００４０】
撮影を終了した後、撮影された画像データをパーソナルコンピュータ（以下パソコンという）に取り込んで整理や編集を行う場合について説明する。画像データが書き込まれたメモリカード２９，３０を第１，第２メディアスロット２７，２８から引き抜いてから、パソコンのメディアスロットに順次に挿入し、メモリカード２９，３０の全ファイルをパソコンのハードディスクにコピーする。なお、本実施形態では、パソコンのメディアスロットは１個である。
【００４１】
分割された動画像データの前側部である画像ファイルＤＳＣＦ１００１Ａ．  ＡＶＩを開こうとすると、パソコンにインストールされている画像編集用プログラムが起動して、「この動画像データには続きの動画像データがあります。連結しますか？」というメッセージがパソコンのモニタに表示される。
【００４２】
ユーザが実行キーを押すと、画像編集用プログラムがハードディスクに記録されている画像データファイルから画像ファイルＤＳＣＦ１００１Ａ．  ＡＶＩのファイル名「ＤＳＣＦ１００１Ａ．  ＡＶＩ」の主要部である「ＤＳＣＦ１００１」が同じ画像ファイルを検索し、画像ファイルＤＳＣＦ１００１Ｂ．  ＡＶＩを捜し出す。そして、ファイル名「ＤＳＣＦ１００１Ａ．  ＡＶＩ」とファイル名「ＤＳＣＦ１００１Ｂ．  ＡＶＩ」の従属部「Ａ」，「Ｂ」のアルファベット順に、画像ファイルＤＳＣＦ１００１Ａ．  ＡＶＩと画像ファイルＤＳＣＦ１００１Ｂ．  ＡＶＩとを連結し、連続した動画像データとして新たな画像ファイルＤＳＣＦ１００１．  ＡＶＩを生成する。
【００４３】
ハードディスク内に画像ファイルＤＳＣＦ１００１Ｂ．  ＡＶＩを発見できない場合には、「ファイルが見つかりません。続きの動画像データが記録されたメモリカードをメディアスロットに挿入して下さい。」というメッセージがモニタに表示される。
【００４４】
なお、分割された後側の動画像データをメモリカードに書き込む際に、例えば最初の１秒間は、前側の動画像データのうち最後の１秒間の動画像データと同じものを書き込むようにすると、後の手作業による編集で連続した動画像データとする際に、作業が容易となる。
【００４５】
以上説明した実施形態では、書込み拒否がなされた場合、メモリカード３０の画像ファイルＤＳＣＦ１００１Ｂ．  ＡＶＩだけを消去したが、メモリカード２９の画像ファイルＤＳＣＦ１００１Ａ．  ＡＶＩ及びメモリカード３０の画像ファイルＤＳＣＦ１００１Ｂ．  ＡＶＩの両方を消去するようにしてもよい。この場合、メモリカード３０の代わりに第２メディアスロットに新たなメモリカードを挿入してから書込み指示ボタン２５を押すと、第２バッファメモリ４２から第２メディアスロットを介して一続きの動画像データが新たなメモリカードに書き込まれるようにする。
【００４６】
また、上記実施形態では、前側の動画像データのファイル名を「ＤＳＣＦ１００１Ａ．  ＡＶＩ」とし、後側の動画像データのファイル名を「ＤＳＣＦ１００１Ｂ．  ＡＶＩ」としたが、前側の動画像データと後側の動画像データとを関連付けられれば、上記の例に限らないのはもちろんである。
【００４７】
また、動画像データのファイルを電子情報技術産業協会（ＪＥＩＤＡ）から発表された規格であるＥｘｉｆフォーマットで作成し、分割された２つの動画像データのファイルの各Ｅｘｉｆタグ（Ｔａｇ  ）データに含まれるメーカーノートタグ（Ｍａｋｅｒ  Ｎｏｔｅ  Ｔａｇ）データに、互いに相手方を示す関連付けデータを書き込むようにしてもよい。この関連付けデータには、画像データのファイル名に加えて相手のメモリカード固有のＩＤ番号を含めるようにするのがよい。
【００４８】
また、上記実施形態では、ファイル名を付与する際に、静止画像データと動画像データとを拡張子を除いて区別することなく、通し番号としたが、静止画像データと動画像データとを別々のディレクトリに格納し、なおかつ静止画と動画とを判別できるようなファイル名を付与するようにしてもよい。
【００４９】
また、上記実施形態では、書込み先の切替えタイミングの目安とする記録媒体の残容量を１ＭＢとしたが、本発明はこれに限定されることなく、例えば２ＭＢでも、また０．５ＭＢでもよい。また、動画の撮影時間を最長２分間としたが、例えば５分間でも、また１分間でもよい。また、第２のメモリカードに書込みを開始してから、そのまま継続することを判断するまでの時間を３０秒としたが、これは一例であって、例えば２０秒や４０秒でもよい。
【００５０】
また、上記実施形態では、記録媒体としてメモリカードを採用し、このメモリカードとしてｘＤピクチャーカード（登録商標）を想定したが、本発明はこれに限定されることなく、メモリカードとしては、例えばスマートメディア（登録商標）でもよい。また、記録媒体としては、メモリカードではなく、マイクロドライブ（登録商標）など種々のものが使用でき、使用される記録媒体に応じた信号処理手段とインターフェースが適用される。また、２つの記録媒体の組み合わせも、種類，容量など、上記の態様に限定されないのはもちろんである。
【００５１】
【発明の効果】
以上詳述したように本発明の画像データ書込み方法によれば、第１記録媒体の書込み終了間際に第２記録媒体への書込みの可否を問い合わせ、第１記録媒体の書込み終了時に指示がなかった時は、第２記録媒体への書込みを開始し、この書込み中に第２記録媒体への書込み指示があれば、そのまま書込みを継続し、第２記録媒体への書込み拒否があれば、第２記録媒体への書込みを停止するとともに、第２記録媒体に書き込まれた画像データを消去するので、動画像データに時間的な不連続を生じさせることなく複数の記録媒体の切替えを意図的に選択できる。また、第２記録媒体への書込みを開始してから一定時間が経過しても第２記録媒体への書込み指示または書込み拒否のいずれもがない場合、第２記録媒体への書込みを続行するので、ユーザのミスで書込み指示をしなかった場合でも動画像データに時間的な不連続を生じさせることなく複数の記録媒体の切替えが自動的に行われ、確実に画像データを保存することができる。
【図面の簡単な説明】
【図１】本発明を実施したデジタルカメラの正面側の外観を示す斜視図である。
【図２】デジタルカメラの背面側の外観を示す斜視図である。
【図３】デジタルカメラの内部構成を示すブロック図である。
【図４】メモリカードの内部構成を示すブロック図である。
【図５】メモリカードのメモリ部のファイル構造の概略を示す説明図である。
【図６】動画像データの書込みに関する手順を示すフローチャートである。
【符号の説明】
１０  デジタルカメラ
２５  書込み指示ボタン
２６  書込み拒否ボタン
２７  第１メディアスロット
２８  第２メディアスロット
２９，３０  メモリカード
３７  システムコントローラ
５１  残容量検出部
５２  記録切替部
５３  タイマ
５４  消去処理部
【図１】
2004328074.tif 000003
【図２】
2004328074.tif 000004
【図３】
2004328074.tif 000005
【図４】
2004328074.tif 000006
【図５】
2004328074.tif 000007
【図６】
2004328074.tif 000008